(57)【要約】【課題】  電極と溶液との接触面積を大きくして測定精度をより高めるとともに気泡による測定精度の影響を無くした電位差検出用電極を提供する。【解決手段】  電位差検出用電極１Ａは、開口部１１を有するケース１０内に、両面が液体緩衝材３２で被覆された板状電極３０が配置されてなる。板状電極３０に接続されたリード線１５はケース１０の外部に導出されている。板状電極３０は、電極本体３１の両面に液体緩衝材（例えば布）３２が張り合わされたものである。この板状電極３０は、対向面間に間隙１７を置くように折り畳んだ状態でケース１０内に配置されている。この構造により、フィルタが不要になることで気泡の発生が無くなる上に、板状電極３０と溶液との接触面積が増大し、メンテナンス性、測定感度、計測安定性が向上し、小型化が可能となる。【選択図】      図１
0003139737.tif 000002
【実用新案登録請求の範囲】
【請求項１】
溶液中の２点間の電位差を計測するための電極であって、
開口部を有する本体内に、少なくとも片面が液体緩衝材で被覆された板状電極が配置されてなることを特徴とする電位差検出用電極。
【請求項２】
前記板状電極は、折り畳んだ状態で配置されていることを特徴とする請求項１記載の電位差検出用電極。
【請求項３】
前記板状電極は、螺旋状に巻いた状態で配置されていることを特徴とする請求項１記載の電位差検出用電極。
【考案の詳細な説明】
【技術分野】
【０００１】
この考案は、溶液中の電界計測等に使用する電位差検出用電極に関する。
【背景技術】
【０００２】
例えば図４に示すように、その種の電位差検出用電極５０は、開口部を有するケース５１の内部に板状や棒状の電極５２が配置され、電極５２に接続されたリード線５３がケース５１の外部に導出され、ケース５１の開口部にフィルタ５４が取り付けられ、ケース５１の内部に内部溶液６０が充填された構造であり、外部溶液中に投入して外部溶液の電界を計測する。
【０００３】
また、電極と溶液（海水）との接触面積を大きくした電極として、銀にＡｇＣｌメッキした棒又は白金棒を電極本体に用い、この電極本体の電解質溶液（海水）との接触部分の形状をパイプ状にして、パイプ部の内外面を接触面積として使用し、棒状の電極本体に比べて接触面積を約２倍に拡大した電流検出用電極がある（例えば、特許文献１参照）。
【０００４】
この特許文献１には、電極本体の海水との接触部分の形状をスパイラル状或いはロール状にし、更に接触面積を増加させることも記載されている。
【特許文献１】特開２００６−２９８６０号公報
【考案の開示】
【考案が解決しようとする課題】
【０００５】
しかしながら、図４に示すような従来の電極５０では、電極５２と内部溶液６０との接触面積が小さいため、外乱の影響を受けやすい構造である。また、ケース５１の内部はフィルタ５４で外部溶液と隔離されているため、ケース５１の内部に気泡が溜まることが多く、その気泡がフィルタ５４に付着してフィルタ５４の部分を遮断することで、測定精度に影響を与えていた。
【０００６】
また、上記特許文献１記載の電流検出用電極では、海水との接触面積をより大きくするために、特に電極本体の電解質溶液との接触部分の形状をロール状に巻いて筒体にすることが記載されているが、その電極本体が配置された外筒の開口部にはフィルタが取り付けられており、上記と同様に外筒内部に気泡が溜まり、その気泡によりフィルタ部分が遮断され、測定精度に影響が及ぶ問題は十分に解決されていない。
【０００７】
本考案は、そのような問題点に着目してなされたものであって、電極と溶液との接触面積を大きくして測定精度をより高めるとともに気泡による測定精度の影響を無くした電位差検出用電極を提供することを目的としている。
【課題を解決するための手段】
【０００８】
上記の課題を解決するために、本考案の電位差検出用電極は、溶液中の２点間の電位差を計測するための電極であって、開口部を有する本体内に、少なくとも片面が液体緩衝材で被覆された板状電極が配置されてなることを特徴とする。
【０００９】
この電位差検出用電極において、板状電極は、折り畳んだ状態で配置されるか、又は螺旋状に巻いた状態で配置されることが好ましい。板状電極はその片面が液体緩衝材で被覆されていればよいが、より測定精度の向上を図るには両面が液体緩衝材で被覆されるのが好ましい。その液体緩衝材としては、液体（海水等）が染み込みやすく、液体流等の変動が電極に直接及ばず、電位差の計測に影響を与えないものであればよく、布、ゲル状物質等が用いられる。
【考案の効果】
【００１０】
請求項１記載の考案によれば、フィルタを用いない構造であるので、本体内部での気泡の発生の有無を気にする必要が無くなり、測定の高安定化を実現でき、メンテナンス性も向上する。また、板状電極の少なくとも片面が液体緩衝材で被覆されているので、板状電極が液体緩衝材に染み込んだ溶液と接触することになり、板状電極と溶液との接触安定性が高まり、測定感度、測定安定性が増す。しかも、溶液流等の変動が板状電極に直接及ばないので、外乱に強い構造となる。
【００１１】
請求項２，３記載の考案によれば、板状電極と溶液との接触面積が大きくなるので、測定感度、計測安定性がより向上する。また、板状電極を折り畳んだ状態又は螺旋状に巻いた状態で配置してあるので、板状電極と溶液との接触面積を大きくしても小型化が可能となる。
【考案を実施するための最良の形態】
【００１２】
以下、実施の形態により、この考案を更に詳細に説明する。
【００１３】
一実施形態に係る電位差検出用電極の断面図を図１に示す。この電位差検出用電極１Ａは、円形の開口部１１を有する円筒状の本体（ケース）１０と、このケース１０内に折り畳んだ状態で配置された板状電極３０とを備える。板状電極３０に接続されたリード線１５はケース１０の外部に導出されている。
【００１４】
板状電極３０は、図３に部分拡大断面図を示すように、電極本体３１の両面に液体緩衝材（例えば布）３２が張り合わされたものであり、両面が液体緩衝材３２により被覆されている。この板状電極３０は、対向面間に間隙１７を置くように折り畳んだ状態でケース１０内に配置され、全体としてジグザグ形状を呈している。これにより、板状電極３０の全面が液体緩衝材３２を介して溶液と接触する様態となる。
【００１５】
別実施形態に係る電位差検出用電極の断面図を図２に示す。この電位差検出用電極１Ｂは、円形の開口部２１を有する円筒状のケース２０と、このケース２０内に螺旋状に巻いた状態で配置された板状電極３０とを備える。板状電極３０に接続されたリード線２５はケース２０の外部に導出されている。板状電極３０は図２では簡略に示されているが、前記図３に示すものである。この電極１Ｂでは、板状電極３０は、対向面間に間隙２７を置くように螺旋状に巻いた状態でケース２０内に配置され、全体としてロール形状を呈している。これにより、上記電極１Ａと同様に、板状電極３０の全面が液体緩衝材３２を介して溶液と接触する様態となる。
【００１６】
このような構造の電極１Ａ，１Ｂを溶液中に浸漬すると、溶液がケース１０，２０の開口部１１，２１からケース１０，２０の内部に浸入する。溶液は板状電極３０の液体緩衝材３２に染み込むので、板状電極３０は液体緩衝材３２を介して溶液と接触する（液体緩衝材３２に染み込んだ溶液と接触する）。
【００１７】
この電極１Ａ，１Ｂによると、従来の電極５０で使用するフィルタ５４（図４参照）を用いない構造であるので、ケース１０，２０の内部での気泡の発生の有無を気にする必要が無くなり、測定の高安定化を実現でき、メンテナンス性も向上する。また、板状電極３０の両面が液体緩衝材３２で覆われているので、板状電極３０が液体緩衝材３２に染み込んだ溶液と接触することで、板状電極３０と溶液との接触安定性が高まり、測定感度、計測安定性が増す。しかも、溶液流等の変動が板状電極３０に直接及ばないので、外乱に強い構造となる。
【００１８】
これらに加えて、板状電極３０を折り畳んだ状態又は螺旋状に巻いた状態でケース１０，２０の内部に配置してあるので、板状電極の配置占有スペースの割に長尺状の板状電極を用いること、すなわち全表面積の大きい板状電極を用いることが可能となる結果、板状電極３０と溶液との接触面積が大きくなる。これにより、測定感度、計測安定性がより向上する。更に、板状電極３０と溶液との接触面積が大きいのにもかかわらず、電位差検出用電極の小型化が可能となる。
【図面の簡単な説明】
【００１９】
【図１】一実施形態に係る電位差検出用電極の断面図である。
【図２】別実施形態に係る電位差検出用電極の断面図である。
【図３】同電位差検出用電極に使用する板状電極の部分拡大断面図である。
【図４】従来例に係る電位差検出用電極の断面図である。
【符号の説明】
【００２０】
１Ａ，１Ｂ    電位差検出用電極
１０，２０    ケース（本体）
１１，２１    開口部
１５，２５    リード線
１７，２７    間隙
３０          板状電極
３１          電極本体
３２          液体緩衝材
【図１】
0003139737.tif 000003
【図２】
0003139737.tif 000004
【図３】
0003139737.tif 000005
【図４】
0003139737.tif 000006